(57)【要約】  【課題】読取対象物が紙面の変形が生じても良好な画像を得ることができる読取装置を提供する。  【解決手段】読取装置１は、被読取ページ９を有するパスポート７が配置される載置面５と、被読取ページ９を照明する光源２１、３１と、被読取ページ９を撮像するカメラ１３とを備える。光源２１、３１は、被読取ページの正面領域の外側に配置されている。被読取ページ９は、縁部の近傍に位置する縁近傍コードを含む。光源２１、３１は、赤外光ＬＥＤ列２３、白色光ＬＥＤ列３３を含む。赤外光ＬＥＤ列２３、白色光ＬＥＤ列３３のうちで、縁近傍コードに対応した近傍コード位置の赤外光ＬＥＤ２５ｅ、白色光ＬＥＤ３５ｆが、他の赤外光ＬＥＤ２５ａ〜２５ｄ、白色光ＬＥＤ３５ａ〜３５ｅよりも、載置面５における垂直方向において被読取ページの近くに配置されている。【選択図】  図１
2010251930.tif 000002
【特許請求の範囲】
【請求項１】
被読取面を有する読取対象物が配置される対象配置部と、
前記対象配置部に載置された前記被読取面を照明する光源と、
前記光源により照明された前記被読取面を撮像する撮像部と、
を備え、前記光源は、前記被読取面の正面領域の外側に配置されており、
前記被読取面は、縁部の近傍に位置する縁近傍コードを含み、
前記光源は複数の発光素子からなる発光素子列を含み、前記発光素子列のうちで前記縁近傍コードに対応した近傍コード位置の発光素子が、前記発光素子列の他の発光素子よりも前記対象配置部における垂直方向において前記被読取面の近くに配置されていることを特徴とする読取装置。
【請求項２】
前記読取装置が前記被読取面から前記撮像部に至る光路の向きを変えるミラーをさらに有し、
前記発光素子列が、前記発光素子の主な光が前記ミラーにより反射されて前記被読取面に向かわない位置に配置されていることを特徴とする請求項１に記載の前記読取装置。
【請求項３】
前記縁近傍コードが前記被読取面の縁部の端部に設けられており、前記近傍コード位置の前記発光素子が、前記発光素子列の端部に位置していることを特徴とする請求項１に記載の読取装置。
【請求項４】
前記読取装置が前記被読取面から前記撮像部に至る光路の向きを変えるミラーをさらに有し、
前記ミラーが、前記被読取面に対して傾斜しており、前記近傍コード位置の発光素子は、前記発光素子列の両端のうちで前記ミラーに近い側の端部に位置することを特徴とする請求項３に記載の読取装置。
【請求項５】
前記光源が、読取処理に用いる第１の画像を取得するために第１波長域と第１放射角とを有する第１照明光を前記被読取面に照射する第１光源と、表示用を含む用途に用いる第２の画像を取得するために、前記第１波長域より広い第２波長域及び前記第１放射角より広い第２放射角を有する第２照明光を前記被読取面に照射する第２光源とを含むことを特徴とする請求項１乃至４のいずれかに記載の読取装置。
【請求項６】
前記第１光源が赤外光源であり、前記第２光源が可視光源であることを特徴とする請求項５記載の読取装置。
【請求項７】
前記読取対象物がパスポートであることを特徴とする請求項１乃至６のいずれかに記載の読取装置。 
【発明の詳細な説明】
【技術分野】
【０００１】
本発明は、読取対象物を撮像して読取処理を行う読取装置に関し、特に撮像のための光源の配置に関する。
【背景技術】
【０００２】
従来、各種の読取対象物から文字等のコードを読み取る読取装置が知られている。読取対象物は、例えば、複数のシートが綴じられた帳票であり、帳票は例えばパスポートである。
【０００３】
従来の読取装置は、赤外光で読取対象物の被読取面を照明し、被読取面上のコードを撮像し、赤外光画像を取得するように構成されている。赤外光画像は、ＯＣＲ（光学読読取装置）等の読取処理が施されて、コードが認識される。照明光として赤外光を用いることにより、赤外光を吸収しやすい黒色インクの印刷が強調されるため相対的に背景画像が写りにくくなり、画像におけるコードのコントラストが大きくなる。また赤外光を吸収し、可視光を反射するインクで文字図形を書いて可視光で撮影した画像と比較すれば偽造を検出することも出来る。
【０００４】
また、操作者の目視による確認等のために読取対象物の画像をモニタ等に表示する場合には、赤外光ではなく可視光で読取対象物が照明され、可視光の画像が取得される。あるいは可視光画像も赤外光画像と同様にＯＣＲでコードを認識する場合もある。
【０００５】
例えば、特許文献１は、赤外光と可視光の両方を読取対象物に照射するように構成された読取装置を開示している。この従来装置は、可視光を用いてホログラムの画像を生成するとともに、赤外光を用いてホログラムの下側の層に印刷されたコードを読み取る。
【０００６】
また、読取装置においては、正反射条件での撮像を避ける必要がある。正反射条件とは、撮像の方向が照明光の入射角と一致し正反射の方向になることをいう。正反射条件で被読取面を撮像すると、反射光が強すぎて、いわゆる「白とび」が生じ、良好な画像が得られない。「白とび」とは、画像の一部が撮像素子のダイナミックレンジの飽和によりホワイトアウトしてしまうことをいい、可視光画像においては白くなってしまい、被写体が写らなかったり、見づらくなる現象である。従来は、正反射条件を避けるために、被読取面を横方向から照明するとともに、被読取面が正面から撮像される。これにより、照明光の反射角（＝入射角）を大きくすることができ、正反射条件を避けることができる（例えば特許文献２参照）。
【先行技術文献】
【特許文献】
【０００７】
【特許文献１】特開平６−２４７０８４号公報
【特許文献２】特開２００８−３０４８６０号公報
【発明の概要】
【発明が解決しようとする課題】
【０００８】
しかしながら、従来の読取装置においては、読取対象物の変形に関連した以下のような問題がある。
【０００９】
パスポートなどの読取対象物は、例えば、持ち主のポケットに入れられたために汗で濡れることがある。濡れとその後の乾燥等が原因で、読取対象物の縁部に波状の変形（波打ち）が生じる。このような波状の変形が生じると、縁部での撮像が正反射条件下で行われ、白とびが生じる可能性がある。そして、縁部に文字等のコードが存在する場合、コードが鮮明に写らない可能性がある。そこで、縁部の波状の変形にも好適に対処し、コードを撮影できるように照明を適切に行うことが望まれる。
【００１０】
例えば、パスポートは、ラミネート等のカバーで覆われており、正反射条件で白とびが生じやすい。しかも、パスポートには、コードがページの隅部まで印刷されているものも多く、そして、前述した紙面の波状の変形は隅部において大きくなりやすい。そのため、波状の変形が生じたパスポートを可視光で照明しながら撮影すると、隅部のコードが白とびにより見づらくなってしまうことがあり、特に、隅部の１〜２文字が見づらくなりやすい。そこで、このような縁部のコードの白とびを防ぐように照明を適切に行うことが望まれる。
【００１１】
上記の問題を避けるために、読取対象物を押さえるカバーを備えることも考えられる。しかし、読取対象物がパスポートなどの場合、読取作業が迅速でなければならない。そのため、カバーなどを使用することなく、読取対象物が多少浮き上っても照明を適切に行えることが望まれる。
【００１２】
また、装置の小型化のために、画像を読取るための光路をミラーを用いて曲げ、装置全体の容積を削減する場合がある。この場合、被読取面とカメラの間にミラーが配置される。そして、被読取面からの反射光が、ミラーで曲がり、カメラへ到達する。しかしながら、ミラーを設けた場合、照明光もミラーで反射され、読取対象物の被読取面に照射されてしまい、その結果、照明ムラが発生し、読取能力が低下したり、表示画像が見づらくなるという問題がある。
【００１３】
本発明は、従来の問題を解決するためになされたもので、その目的は、読取対象物の紙面の変形が生じても良好な画像が得られる読取装置を提供することにある。また、本発明の目的は、ミラーを設けた場合の照明ムラを低減できる読取装置を提供することにある。
【課題を解決するための手段】
【００１４】
本発明の読取装置は、被読取面を有する読取対象物が配置される対象配置部と、前記対象配置部に載置された前記被読取面を照明する光源と、前記光源により照明された前記被読取面を撮像する撮像部と、を備え、前記光源は、前記被読取面の正面領域の外側に配置されており、前記被読取面は、縁部の近傍に位置する縁近傍コードを含み、前記光源は複数の発光素子からなる発光素子列を含み、前記発光素子列のうちで前記縁近傍コードに対応した近傍コード位置の発光素子が、前記発光素子列の他の発光素子よりも前記対象配置部における垂直方向において前記被読取面の近くに配置されている。
【００１５】
この構成により、被読取面の縁部の近くにコードが存在する場所で光源を局所的に読取対象物に近づけてあるので、読取対象物の濡れなどが原因で被読取面の縁部に波状の変形が生じた場合でも、縁部に近いコードが正反射条件で撮影されるのを防ぐことができる。したがって、縁部のコードが白とびで見づらくなるのを防ぐように照明を適切に行うことができる。
【００１６】
また、本発明の読取装置では、前記読取装置が前記被読取面から前記撮像部に至る光路の向きを変えるミラーをさらに有し、前記発光素子列が、前記発光素子の主な光が前記ミラーにより反射されて前記被読取面に向かわない位置に配置されている。
【００１７】
この構成によりミラーの反射による照明ムラをなくし、良好な画像を得ることが出来る。したがって、文字の認識率の向上、画像の確認の精度を上げることが出来るとともに、取得画像の目視による認識も容易になる。
【００１８】
また、本発明の読取装置では、前記縁近傍コードが前記被読取面の縁部の端部に設けられており、前記近傍コード位置の前記発光素子が、前記発光素子列の端部に位置している。
【００１９】
この構成では、コードが被読取面の縁部の端部、すなわちコーナー部に位置している。コーナー部では変形の影響が大きくなる。しかし、本発明によれば光源を局所的に被読取面に近づけることにより、コーナー部の白とびを適切に防止できる。
【００２０】
また、本発明の読取装置では、前記読取装置が前記被読取面から前記撮像部に至る光路の向きを変えるミラーをさらに有し、前記ミラーが、前記被読取面に対して傾斜しており、前記近傍コード位置の発光素子は、前記発光素子列の両端のうちで前記ミラーに近い側の端部に位置する。
【００２１】
この構成により、ミラーを設けた場合の照明ムラを低減できる。この構成は、縁近傍コードの照明ムラに着目しており、以下の２つの理由で照明ムラを低減できる。ミラーが傾斜しているために、縁近傍コードがミラーに近いとする。本発明によれば、縁近傍コードに近い発光素子をミラーから遠ざけられるので、ミラーの影響による縁近傍コードの照明ムラを低減できる。また、ミラーによる照明ムラは、発光素子から遠い位置ほど被読取面を明るくし、発光素子に近い位置を相対的に暗くする。これに対して、本発明によれば、発光素子を被読取面に近づけるので、発光素子に近い場所を明るくでき、照明ムラを低減できる。こうして、上記２つの効果が相乗し、縁近傍コードの照明ムラを低減し、読取能力向上等の効果が好適に得られる。
【００２２】
また、本発明の読取装置では、前記光源が、読取処理に用いる第１の画像を取得するために第１波長域と第１放射角とを有する第１照明光を前記被読取面に照射する第１光源と、表示用を含む用途に用いる第２の画像を取得するために、前記第１波長域より広い第２波長域及び前記第１放射角より広い第２放射角を有する第２照明光を前記被読取面に照射する第２光源とを含む。
【００２３】
この構成により、複数種類の光源を使い、それらの特性を利用して、被読取面を好適に読取る読取装置を提供できる。放射角とは、照明光の明るさが所定レベル以上である範囲であり、例えば、正面方向の明るさを基準値として、明るさが基準値に対して所定の割合以上である範囲の角度である。
【００２４】
また、本発明の読取装置では、前記第１光源が赤外光源であり、前記第２光源が可視光源である。この構成により、赤外光源を用いて読取処理のための画像が得られ、可視光源を用いて表示用の画像が得られる。赤外光源と比べて可視光源は、波長域が広く、放射角も広い。このような複数種類の光源を用いる場合でも、本発明の利点が好適に得られる。
【００２５】
また、本発明の読取装置では、前記読取対象物がパスポートである。この構成により、読取対象物がラミネート等のカバーで覆われたパスポートである場合でも、照明を適切に行うことができ、読取対象物が浮き上がっても良好な画像が得られる。
【発明の効果】
【００２６】
本発明は、上記のように光源を局所的に縁近傍コードに近づけて配置することにより、読取対象物が紙面の変形が生じても良好な画像が得られるという効果を有する読取装置を提供できる。また、本発明は、上記の適切な光源配置によって、ミラーを設けた場合の照明ムラを低減できるという効果を有する読取装置を提供できる。
【図面の簡単な説明】
【００２７】
【図１】本発明の実施の形態における読取装置の断面図
【図２】本発明の実施の形態における読取装置の断面図であって、光源配置を示す図
【図３】本発明の実施の形態における読取装置の断面図であって、光源配置を示す図
【図４】本発明の実施の形態における読取装置の斜視図
【図５】読取装置の上ケースを外して装置内部を示す図
【図６】読取対象物であるパスポートの被読取ページを示す図
【図７】パスポートに波状の変形が生じたときのコード位置の白とびを防ぐ本発明の原理を示す図
【発明を実施するための形態】
【００２８】
以下、本発明の実施の形態に係る読取装置について、図面を用いて説明する。
【００２９】
本実施の形態では、読取対象物が帳票またはカードであり、特に、帳票の一例としてのパスポートがあり、カードの一例としては飛行機の搭乗整理券（ボーディングカード）がある。また、本実施の形態では２つの光源が用いられ、第１光源が赤外光源であり、第２光源が可視光源であり、特に白色光源である。
【００３０】
本発明の実施の形態に係る読取装置を図１〜図４に示す。図１〜図３は断面図であり、図４は斜視図である。また図５は装置の上カバーを外し、光源２３、３３、ミラー１１、カメラ１３を示した図である。図３は、図２に示すＡＡ断面と直行する断面図であり、図１に示す赤外光ＬＥＤ２５e及び可視光ＬＥＤ３５ｆと他のＬＥＤ列との高さ位置の差を示している。
【００３１】
まず、図４を参照すると、読取装置１は、略直方体のハウジング３を有しており、ハウジング３の上面に載置面５が設けられている。載置面５は透明なガラス板である。載置面５は、読取対象物であるパスポート７を読取のために配置する場所であり、本発明の対象配置部に相当する。また、ハウジング３には、互いに直角な突当部４１、４３が設けられている。突当部４１、４３は突当壁を有している。パスポート７の直角な２辺が突当部４１、４３に突き当てられ、これによりパスポート７が載置面５上で位置決めされる。
【００３２】
図６はパスポート７を概略的に示している。パスポート７は、上述のように帳票の一種であり、複数の用紙が中央で綴じられた構成を有する。パスポート７は被読取ページ９を有し、被読取ページ９は、綴じ部５１に平行な長縁５３と、綴じ部５１に垂直な短縁５５とを有する。長縁５３及び短縁５５は、長方形である被読取ページ９の長辺及び短辺に相当する。被読取ページ９には、写真５７やコード５９が設けられている。コード５９は、読取装置１により読み取られるべき文字等の列である。パスポート７では、コード５９が長縁５３に沿って設けられる。パスポート７は、被読取ページ９が下を向くように、載置面５上に置かれる。
【００３３】
図１は、図４のラインＡ−Ａで読取装置１を切断した断面図である。図２は、図１と同じ方向から見たときの光源配置を示す図であり、図３は、図２を矢印Ｂの方向から見たときの光源配置を示す図である。
【００３４】
図１に示されるように、載置面５の下方にはミラー１１が設けられており、ミラー１１の横方向にカメラ１３が設けられている。カメラ１３は本発明の撮像部に相当する。カメラ１３は、ミラー１１の反射を利用し、パスポート７を下方から撮像する。カメラ１３が赤外光画像と可視光画像の両方を撮影してよい。あるいは、赤外光画像と可視光画像が別々のカメラで撮像されてもよい。この場合は、撮像部が複数のカメラで構成される。
【００３５】
また、図１〜図３に示されるように、読取装置１は、ハウジング３内に赤外光源２３及び白色光源３３を有する。赤外光源２３は赤外光ＬＥＤ列２３で構成されており、赤外光ＬＥＤ列２３は複数の赤外光ＬＥＤ２５ａ〜２５ｅからなる。また、白色光源３３は白色光ＬＥＤ列３３で構成されており、白色光ＬＥＤ列３３は複数の白色光ＬＥＤ３５ａ〜３５ｆからなる。赤外光ＬＥＤ列２３および白色光ＬＥＤ列３３は、搭置面５（被読取ページ９）に平行である。赤外光ＬＥＤ２５ａ〜２５ｅ及び白色光ＬＥＤ３５ａ〜３５ｆは基板４５に取り付けられている。また、赤外光ＬＥＤ２５ｅと白色光ＬＥＤ３５ｆとは載置面５に近く配置されている。
【００３６】
図２に示されるように、赤外光源２３（赤外光ＬＥＤ列２３）及び白色光源３３（白色光ＬＥＤ列３３）は、被読取ページ９の正面領域の外側であって、両方の短縁５５の外側に配置されている。
【００３７】
また、図１〜図３に示されるように、赤外光源２３（赤外光ＬＥＤ列２３）及び白色光源３３（白色光ＬＥＤ列３３）が、被読取ページ９から垂直方向に離れて配置されている。ここで、垂直方向は、載置面５に置かれた被読取ページ９に垂直な方向であり、すなわち、載置面５に垂直な方向である。本実施の形態では、赤外光源２３および白色光源３３が被読取ページ９から垂直方向に第１距離Ｄ１で並べて配置されると。ただし、非読取物のコーナーに近い白色光ＬＥＤ３５ｆと赤外光ＬＥＤ２５ｅは、載置面に近い第２距離Ｄ２に配置されている。本発明の範囲で、読み取り対象によって白色光ＬＥＤ、赤外光ＬＥＤの１つだけが、第２距離Ｄ２の位置に配置されてもよい。また、図１等の例では、第１距離Ｄ１に白色光ＬＥＤと赤外光ＬＥＤとが一列に並べられている。しかし、白色光ＬＥＤ又は赤外光ＬＥＤの片方が、第１距離Ｄ１より長い距離に配置されてよい。または、２つの光源を区別することなく、一部のＬＥＤが第１距離Ｄ１より長い距離に配置されてよい。こうして、発光素子列を多少上下にずらして配置し、光がより均一に読み取り対象を照らすようにするのも好ましい。
【００３８】
上記の通り白色光ＬＥＤ列３３のうちで、綴じ部５１から最も遠い一番端の白色光ＬＥＤ３５ｆは、例外的に、他の白色光ＬＥＤ３５ａ〜３５ｅよりも垂直方向に被読取ページ９の近くに配置されている。一番端の白色光ＬＥＤ３５ｆは、赤外光ＬＥＤ列２３における一番端の赤外光ＬＥＤ２５ｅの隣に配置されている。前述のように、読み取り対象が赤外光を用いて読取る場合は赤外光ＬＥＤ２５eのみでもよい。可視光画像を重視すればよい場合には白色光ＬＥＤ３５ｆのみでもよい。
【００３９】
次に、本実施の形態に係る読取装置１の動作を説明する。まず、使用者により、被読取ページ９が下を向くようにして、パスポート７が載置面５に載置される。パスポート７の長縁５３及び短縁５５が突当部４１、４３に突き当てられて、パスポート７が位置決めされる。そして、使用者の操作に応答して、被読取ページ９が撮像される。
【００４０】
読取処理を行う場合、赤外光源２３により赤外光が被読取ページ９に照射され、カメラ１３により赤外光画像が生成される。赤外光画像は、読取処理用の画像であり、本発明の第１の画像に相当する。そして、赤外光画像が図示しない読取処理部によって処理されて、文字等のコードが認識される。赤外光画像では、背景画像が写りにくくなり、認識すべき文字等のコードのコントラストが強くなる。したがって、読取処理を高精度に行うことができる。読取処理部はコンピュータで構成されてよい。また、読取処理部は読取装置１の外部に設けられてもよい。
【００４１】
また、表示用の画像を取得する場合、白色光源３３により白色光が被読取ページ９に照射され、カメラ１３により可視光画像が生成される。そして、可視光画像が、図示しないモニタに出力され、表示される。可視光画像は本発明の第２の画像に相当する。
【００４２】
次に、本実施の形態における赤外光源２３及び白色光源３３の配置について、更に詳細に説明する。赤外光源２３及び白色光源３３の位置と方向は、基本的には、正反射条件を避けるように設定されている。正反射条件は、既に説明したように、撮像の方向が照明光の正反射の方向に一致することをいう。正反射条件で被読取ページ９を撮像すると、反射光が強すぎて、いわゆる白とびが生じ、良好な画像が得られない。赤外光源２３についても、読取能力確保のために、正反射条件を避けることが求められる。本実施の形態では、赤外光源２３及び白色光源３３が被読取ページ９の正面領域の外側に配置されており、横方向から被読取ページ９を照明する。これにより、入射角が大きく設定され、正反射条件が避けられ、白とびも回避される。
【００４３】
本実施の形態では、光源配置は、上記の要因に加え、更に、パスポート７の変形と、ミラー１１の影響を考慮して設定されている。以下、これらの要因及び光源配置について説明する。
【００４４】
「被読取物の変形を考慮した光源配置の設定」
まず、被読取物であるパスポート７の変形を考慮した光源配置について説明する。ここでは、白色光源３３における端部の白色光ＬＥＤ３５ｆ及び赤色光源２３の端部の赤外光ＬＥＤ２５ｅの配置に着目する。以下の説明では、主に白色光ＬＥＤ３５ｆの配置を説明する。赤外光ＬＥＤ２５ｅの配置も、概ね同様の理由で白色光ＬＥＤ３５ｆと同様に設定されている。
【００４５】
図７を参照すると、白色光ＬＥＤ３５ｆの配置は、被読取ページ９のコード５９の位置と関係している。コード５９は、前述したように、被読取ページ９の長縁５３の近くに、長縁５３に沿って設けられている。そして、コード５９の端は、被読取ページ９の短縁５５の近傍まで達しており、被読取ページ９のコーナー部に位置している。
【００４６】
白色光ＬＥＤ３５ｆは、白色光ＬＥＤ列３３のうちで一番端に位置しており、その位置は、列方向にてコード５９と対応している。この白色光ＬＥＤ３５ｆは、白色光ＬＥＤ列３３の他の白色光ＬＥＤ３５ａ〜３５ｅよりも高い位置、すなわち、垂直方向に被読取ページ９の近くに配置されている。
【００４７】
パスポート７は、持ち主のポケットに長時間入れられることがあり、持ち主の汗で濡れることがある。汗の濡れとその後の乾燥等、またポケットへの出し入れが原因で、パスポート７の縁部に波状の変形（波打ち）、端部のカール状の変形が生じる。ポケット内では短縁５５が底部に位置するので、短縁５５にこのような変形が生じやすい。
【００４８】
波状の変形が生じると、被読取ページ９と白色光源３３の角度が、短縁５５に沿って周期的に増減する。角度が大きい場所では、入射角（＝出射角）が小さくなり、正反射条件が局所的に成立する。したがって、波状の変形が生じると、短縁５５に沿って正反射条件が周期的に成立する。その結果、図７の左半部に示されるように、複数の小さい白とび領域が短縁５５に沿って間隔をあけて生じてしまう。そして、波の形状によっては、図示のように、白とび領域がコード５９と重なり、コード５９の端部が白とび領域に入ってしまう。そのため、白色光源３３を用いて生成された画像では、コード５９の端部が見づらくなる。特に、コード５９の端の１〜２文字程度が見づらくなりやすい。
【００４９】
コード５９は、赤外光源２３を用いた自動読取の対象である。しかし、白色光源３３を用いた可視光画像でも、読取結果の確認などのために、コード５９の全体が表示される必要がある。そのため、上記のような白とび現象を防止する必要がある。
【００５０】
このような目的を達成するため、本実施の形態では、コード５９と対応する位置にある白色光ＬＥＤ３５ｆを、局所的に、被読取ページ９の近くに配置している。これにより、コード５９の位置では、白色光の入射角（＝出射角）が他の場所より大きくなる。そのため、変形が生じて被読取ページ９の隅部の角度が変わっても、入射角が小さくなりすぎず、正反射条件を避けることができる。その結果、図７の右半部に示されるように、コード５９に対応する位置に白とびが生じるのを避けることができる。
【００５１】
なお、白色光ＬＥＤ３５ｆを被読取ページ９に近づけた場合、白色光ＬＥＤ３５ｆの照射範囲が狭まるので、照度ムラが懸念される。しかし、本実施の形態では、局所的に白色光ＬＥＤ３５ｆのみの位置を変えている。他のＬＥＤが、広い放射角で被読取ページ９の全域に照射されるので、画像の確認に影響する程の照度ムラは十分小さい。
【００５２】
また、図７に示されるように、コード５９が設けられていない場所では、白とびが残っている。しかし、コード５９が書かれている領域以外では重要度の高い情報（たとえば顔写真等）は紙面の汚れ変形を嫌って紙面中央に近い場所に示されている。そこで、本実施の形態では、重要度の高い情報が書かれている可能性が低い領域の白とびをある程度許容しつつ、変形が生じやすいコード５９の領域の良好な画像を取得している。
【００５３】
その他、従来のコピー機などは、読取対象物を押さえるカバーを備えている。このようなカバーを、上記のパスポート７の変形の影響を防止するために備えることも考えられる。しかし、パスポート７の読取は、空港の入出国審査などで行われるため、迅速性が求められる。そのため、いちいちカバーでパスポート７を押さえるのでは、作業に時間がかかる。これに対して、図１に示されるように、本実施の形態の読取装置１は、押さえカバーを設ける必要が無く、パスポート７を載置面５に短時間でセットすることができる。
【００５４】
上記では、白色光ＬＥＤ３５ｆの配置について説明した。既に述べたように、赤外光ＬＥＤ２５ｅも同様の理由で、他の赤外光ＬＥＤ２５ａ〜２５ｄよりも被読取ページ９の近くに配置され、これにより、パスポート７の変形に伴う正反射条件を避けることができる。また、上記のように照度ムラの影響も十分に小さい。
【００５５】
「ミラーの反射を考慮した光源配置の設定」
次に、ミラー１１の反射を考慮した光源配置の設定について説明する。照明光は、直接的に被読取ページ９に照射されるだけでなく、ミラー１１で反射されて被読取ページ９に照明される。ミラー１１からの照明光は、直接的な照明光と重畳される。このようなミラー１１からの照明光は、照明ムラの原因になる。
【００５６】
上記の照明ムラが生じると、ミラー１１からの照明光の影響で、被読取ページ９が部分的に明るくなる。ミラー１１が図１に示すように傾斜している場合、発光素子（ＬＥＤ）とミラー１１の距離が徐々に変化する。発光素子とミラー１１の距離が小さいほど、ミラー１１からの照明光が、被読取ページ９のより広い範囲に届く。そのため、図１に示すように、ミラー１１が傾斜していると、照明ムラは、パスポート９の長縁５３を底辺とする２等辺三角形になる。
【００５７】
本実施の形態では、発光素子（ＬＥＤ）の主な照明光がミラー１１により反射されて被読取ページ９に向かわない位置に、発光素子が配置されている。具体的には、ミラー１１から発光素子ができるだけ遠ざけられている。これにより、ミラー１１の影響を低減でき、照明ムラを低減できる。
【００５８】
本発明において、主な照明光とは、画像の読取能力の要求を満たす強度を有する光である。赤外光については、主な照明光は、自動認識を十分な精度で実施できる強度を有する。可視光については、主な照明光は、ユーザがディスプレイ上で画像を十分に読みとれるような明るさの光である。可視光画像を自動認識する場合は、主な照明光は、認識処理が十分な精度で行える明るさの光である。
【００５９】
より具体的には、主な照明光は、発光素子の正面方向を中心とし、上記の読取能力の要求を満たす角度範囲の光である。主な照明光の角度範囲は、前述した発光素子の放射角と同じでもよい。
【００６０】
本実施の形態では、上記の主な照明光がミラー１１により反射されて被読取ページ９に向かわない位置に、発光素子が配置されている。すなわち、被読取ページ９に対して垂直方向へと、ミラー１１から発光素子をできるだけ遠ざけており、すなわち、発光素子を被読取ページ９に近づけるように配置されており、これにより、ミラー１１で反射した照射光が被読取ページ９に届かない位置を実現している。
【００６１】
さらに説明すると、前述したように、ミラー１１が傾斜していると、ミラー１１と発光素子が近いほど、照明ムラの範囲が広くなる。そのため、照明ムラは、パスポート９の長縁５３を底辺とする２等辺三角形になる。そこで、ミラー１１と発光素子が近い位置でも、ミラー１１に発光素子が近づきすぎないように、素子位置が設定されることが好適である。
【００６２】
このようにして、本実施の形態によれば、照明ムラを低減し、文字の認識率の向上し、画像の確認の精度を上げることが出来るとともに、取得画像の目視による認識も容易になる。
【００６３】
「ミラーの反射を考慮した光源配置の設定（白色光ＬＥＤ３５ｆ、赤外光ＬＥＤ２５ｅについて）」
既に説明したように、本実施の形態では、白色光ＬＥＤ３５ｆ及び赤外光ＬＥＤ２５ｅが、他のＬＥＤよりも、被読取ページ９の近くに配置されている。この配置は、上述のパスポート７の変形だけでなく、ミラー１１からの照明光の反射の影響をも考慮して好適に設定されている。ここでは、白色光ＬＥＤ３５ｆの配置について説明するが、同様のことが赤外光ＬＥＤ２５ｅにも適用される。
【００６４】
ここでは、縁近傍コードであるコード５９の照明ムラに着目する。ミラー１１が傾斜しているために、コード５９がミラー１１に近くに位置する。既に述べたように、発光素子とミラー１１が近いほど、ミラー１１の反射は広い範囲に影響する。本実施の形態によれば、コード５９に近い白色光ＬＥＤ３５ｆをミラー１１から遠ざけているので、ミラー１１の影響によるコード５９の照明ムラを低減できる。
【００６５】
さらに、本実施の形態は、下記の点も考慮している。ミラー１１による照明ムラは、発光素子から遠い位置ほど被読取ページ９を明るくする。そのため、発光素子から近い場所は相対的に暗くなる。これに対して、本実施の形態によれば、白色ＬＥＤ３５ｆを被読取ページ９に近づけるので、白色光ＬＥＤ３５ｆに近い場所を明るくでき、照明ムラを低減できる。
【００６６】
上記のように、本実施の形態の白色光ＬＥＤ３５ｆの配置は、２つの効果を提供する。１つの効果は、白色光ＬＥＤ３５ｆをミラー１１から遠ざけることにより、コード５９部分での照明ムラの範囲を小さくすることである。もう一つの効果は、白色光ＬＥＤ３５ｆが被読取ページ９に近づくことにより、白色光３５ｆに近い場所（照明ムラで暗くなる場所）をより強く照明できることである。これらの相乗効果が得られて、読取能力向上等の効果が好適に得られる。
【００６７】
次に、本実施の形態の変形例を説明する。上記のコード５９は、本発明の縁近傍コードの一例である。本発明において、縁近傍コードは、読取対象物の縁部の近傍に位置するコードである。より詳細には、縁近傍コードは、表示用の画像を得るための光源側の縁部の近傍に位置するコードであり、コードの少なくとも一部が縁部の近傍に位置する。読取対象物がパスポートである場合は、上記のように縁近傍コードが縁部の端部に位置しており、一番端の第２発光素子が被読取面に近づけられる（第２発光素子は、表示用の照明光を発する発光素子である）。しかし、読取対象物の種類に応じて、縁近傍コードの位置などが異なり、それに応じて光源配置も異なってよい。
【００６８】
例えば、縁近傍コードが縁部の中央に位置してよい。この場合、縁近傍コードに応じて、縁部の中央に対応する第２発光素子が、読取対象物に近づけられる。
【００６９】
また、一つの縁近傍コードのために、複数の発光素子が読取対象物に近づけられてもよい。言い換えれば、本発明の範囲内で、少なくとも１つの発光素子が読取対象物に近づけられる。被読取面に近づけられるべき発光素子の数は、素子間隔とコード幅に応じて好適に決定される。
【００７０】
また、縁近傍コードは１箇所でなくてよい。複数の縁近傍コードが設けられてよい。この場合、複数の発光素子が複数の位置でそれぞれ読取対象物に近づけられてよい。
【００７１】
また、複数の縁近傍コードでは、目的、意味、用途、重要性等が異なり得る。そこで、必要な縁近傍コードに対応する発光素子の配置のみが変更されてよい。
【００７２】
上記のように、本実施の形態の範囲で各種の変形が可能である。しかし、パスポート７は、飛行中などに持ち主のポケットに入れられることが多く、波状の変形が生じやすい。しかも、パスポート７は、被読取ページ９のコーナー部に達するコード５９を有している。そして、コーナー部では大きな変形が生じやすく、白とびが生じやすい。したがって、パスポート７では、本発明の利点が顕著に得られる。
【００７３】
以上に本発明の実施の形態に係る読取装置１について説明した。本実施の形態では、第１光源が赤外光源２３であり、第１照明光が赤外光であり、第１波長域及び第１放射角は、赤外光源２３の赤外光の波長域及び放射角である。更に、第１発光素子列及び第１発光素子が、赤外光ＬＥＤ列２３及び赤外光ＬＥＤ２５ａ〜２５ｅである。また、第２光源が、可視光源の一例としての白色光源３３であり、第２照明光が白色光であり、第２波長域及び第２放射角は、白色光源３３の白色光の波長域及び放射角である。更に、第２発光素子列及び第２発光素子が、白色光ＬＥＤ列３３及び白色光ＬＥＤ３５ａ〜３５ｆである。また、本実施の形態では、読取対象物がパスポート７であり、被読取面が被読取ページ９であり、対象配置部が載置面５である。
【００７４】
本実施の形態によれば、被読取面の縁部の近くにコードが存在する場所で光源を局所的に読取対象物に近づけてあるので、読取対象物の濡れなどが原因で被読取面の縁部に波状の変形が生じた場合でも、縁部に近いコードが正反射条件で撮影されるのを防ぐことができる。したがって、縁部のコードが白とびで見づらくなるのを防ぐように照明を適切に行うことができる。
【００７５】
また、本実施の形態によれば、発光素子列が、発光素子の主な光がミラーにより反射されて被読取面に向かわない位置に配置されている。したがって、ミラーの反射による照明ムラをなくし、良好な画像を得ることが出来る。したがって、文字の認識率の向上、画像の確認の精度を上げることが出来るとともに、取得画像の目視による認識も容易になる。
【００７６】
また、本実施の形態によれば、縁近傍コードが被読取面の縁部の端部に設けられており、近傍コード位置の発光素子が、発光素子列の端部に位置している。この構成では、コードが被読取面の縁部の端部、すなわちコーナー部に位置している。コーナー部では変形の影響が大きくなる。しかし、本発明によれば光源を局所的に被読取面に近づけることにより、コーナー部の白とびを適切に防止できる。
【００７７】
また、本実施の形態によれば、読取装置が被読取面から撮像部に至る光路の向きを変えるミラーをさらに有し、ミラーが、被読取面に対して傾斜しており、近傍コード位置の発光素子は、発光素子列の両端のうちでミラーに近い側の端部に位置する。この構成により、上述したように、縁近傍コードの照明ムラを低減し、読取能力向上等の効果が好適に得られる。
【００７８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７９】
以上のように、本発明にかかる読取装置は、上述のように読取対象物が紙面の変形が生じても良好な画像を得ることができ、帳票読取装置等として有用であり、特にパスポート読取装置等として有用である。
【符号の説明】
【００８０】
１  読取装置
５  載置面
７  パスポート
９  被読取ページ
１１  ミラー
１３  カメラ
２１  赤外光源
２３  赤外光ＬＥＤ列
２５ａ〜２５ｅ  赤外光ＬＥＤ
３１  白色光源
３３  白色光ＬＥＤ列
３５ａ〜３５ｆ  白色光ＬＥＤ３５ａ
５１  綴じ部
５３  長縁
５５  短縁
５９  コード 
【図１】
2010251930.tif 000003
【図２】
2010251930.tif 000004
【図３】
2010251930.tif 000005
【図４】
2010251930.tif 000006
【図５】
2010251930.tif 000007
【図６】
2010251930.tif 000008
【図７】
2010251930.tif 000009
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
ハウジングに設けられ、被読取面を有する読取対象物が配置される対象配置部と、
前記ハウジングの内部に固定され、前記対象配置部に載置された前記被読取面を照明する赤外光原または可視光源を備える光源と、
前記ハウジングの内部に固定され、前記光源により照明された前記被読取面を撮像する撮像部と、
を備え、
前記対象配置部は、前記読取対象物を位置決めするために、前記被読取面の一辺に沿った前記読取対象物の第１縁部が突き当てられる第１突当部と、前記一辺に直角な前記読取対象物の第２縁部が突き当てられる第２突当部とを備え、
前記光源は、前記第２縁部に沿う前記ハウジング内部の位置であって、前記被読取面の正面領域の外側の位置に配置されており、
前記被読取面は、前記第１縁部の近傍に位置する縁近傍コードを備え、
前記光源は、前記ハウジング内部において前記第１突当部と前記第２突当部で前記読取対象物が位置決めされた際の前記縁近傍コードの位置に対応した近傍コード位置に配置される発光素子と前記ハウジング内部において前記対象配置部に対して平行に並んで配置される複数の他の発光素子とからなる発光素子列を備え、前記発光素子列は、前記第２縁部に沿った方向に並んでおり、前記近傍コード位置の発光素子は、前記他の発光素子よりも前記対象配置部に対して垂直方向において前記被読取面の近くに配置されていることを特徴とする読取装置。
【請求項２】
前記読取装置は、前記被読取面から前記撮像部に至る光路の向きを変えるミラーをさらに有し、
前記発光素子列は、前記発光素子の主な光が前記ミラーにより反射されて前記被読取面に向かう位置よりも、前記ミラーから遠くかつ前記被読取面に近い位置に配置されていることを特徴とする請求項１に記載の前記読取装置。
【請求項３】
前記縁近傍コードは、前記被読取面の前記第１縁部の端部に設けられており、前記近傍コード位置の前記発光素子は、前記発光素子列の端部に位置していることを特徴とする請求項１に記載の読取装置。
【請求項４】
前記読取装置は、前記被読取面から前記撮像部に至る光路の向きを変えるミラーをさらに有し、
前記ミラーは、前記被読取面に対して傾斜しており、前記近傍コード位置の発光素子は、前記対象配置部に対して垂直方向において前記発光素子列の両端のうちで前記ミラーに近い側の端部に位置することを特徴とする請求項３に記載の読取装置。
【請求項５】
前記光源が、読取処理に用いる第１の画像を取得するために赤外光波長域と第１放射角とを有する赤外光を前記被読取面に照射する赤外光源と、表示用の用途に用いる第２の画像を取得するために、前記赤外波長域より広い可視光波長域及び前記第１放射角より広い第２放射角を有する可視光を前記被読取面に照射する可視光源とで構成されることを特徴とする請求項１乃至４のいずれかに記載の読取装置。
【請求項６】
前記読取対象物がパスポートであることを特徴とする請求項１乃至５のいずれかに記載の読取装置。
【手続補正２】
【補正対象書類名】明細書
【補正対象項目名】００３０
【補正方法】変更
【補正の内容】
【００３０】
本発明の実施の形態に係る読取装置を図１〜図４に示す。図１〜図３は断面図であり、図４は斜視図である。また図５は装置の上カバーを外し、光源２１、３１、ミラー１１、カメラ１３を示した図である。図３は、図２に示すＡＡ断面と直行する断面図であり、図１に示す赤外光ＬＥＤ２５ｅ及び白色光ＬＥＤ３５ｆと他のＬＥＤ列との高さ位置の差を示している。
【手続補正３】
【補正対象書類名】明細書
【補正対象項目名】００３５
【補正方法】変更
【補正の内容】
【００３５】
また、図１〜図３に示されるように、読取装置１は、ハウジング３内に赤外光源２１及び白色光源３１を有する。赤外光源２１は赤外光ＬＥＤ列２３で構成されており、赤外光ＬＥＤ列２３は複数の赤外光ＬＥＤ２５ａ〜２５ｅからなる。また、白色光源３１は白色光ＬＥＤ列３３で構成されており、白色光ＬＥＤ列３３は複数の白色光ＬＥＤ３５ａ〜３５ｆからなる。赤外光ＬＥＤ列２３および白色光ＬＥＤ列３３は、搭置面５（被読取ページ９）に平行である。赤外光ＬＥＤ２５ａ〜２５ｅ及び白色光ＬＥＤ３５ａ〜３５ｆは基板４５に取り付けられている。また、赤外光ＬＥＤ２５ｅと白色光ＬＥＤ３５ｆとは載置面５に近く配置されている。
【手続補正４】
【補正対象書類名】明細書
【補正対象項目名】００３６
【補正方法】変更
【補正の内容】
【００３６】
図３に示されるように、赤外光源２１（赤外光ＬＥＤ列２３）及び白色光源３１（白色光ＬＥＤ列３３）は、被読取ページ９の正面領域の外側であって、両方の短縁５５の外側に配置されている。
【手続補正５】
【補正対象書類名】明細書
【補正対象項目名】００３７
【補正方法】変更
【補正の内容】
【００３７】
また、図１〜図３に示されるように、赤外光源２１（赤外光ＬＥＤ列２３）及び白色光源３１（白色光ＬＥＤ列３３）が、被読取ページ９から垂直方向に離れて配置されている。ここで、垂直方向は、載置面５に置かれた被読取ページ９に垂直な方向であり、すなわち、載置面５に垂直な方向である。本実施の形態では、赤外光源２１および白色光源３１が被読取ページ９から垂直方向に第１距離Ｄ１で並べて配置される。ただし、非読取物のコーナーに近い白色光ＬＥＤ３５ｆと赤外光ＬＥＤ２５ｅは、載置面に近い第２距離Ｄ２に配置されている。本発明の範囲で、読み取り対象によって白色光ＬＥＤ、赤外光ＬＥＤの１つだけが、第２距離Ｄ２の位置に配置されてもよい。また、図１等の例では、第１距離Ｄ１に白色光ＬＥＤと赤外光ＬＥＤとが一列に並べられている。しかし、白色光ＬＥＤ又は赤外光ＬＥＤの片方が、第１距離Ｄ１より長い距離に配置されてよい。または、２つの光源を区別することなく、一部のＬＥＤが第１距離Ｄ１より長い距離に配置されてよい。こうして、発光素子列を多少上下にずらして配置し、光がより均一に読み取り対象を照らすようにするのも好ましい。
【手続補正６】
【補正対象書類名】明細書
【補正対象項目名】００４０
【補正方法】変更
【補正の内容】
【００４０】
読取処理を行う場合、赤外光源２１により赤外光が被読取ページ９に照射され、カメラ１３により赤外光画像が生成される。赤外光画像は、読取処理用の画像であり、本発明の第１の画像に相当する。そして、赤外光画像が図示しない読取処理部によって処理されて、文字等のコードが認識される。赤外光画像では、背景画像が写りにくくなり、認識すべき文字等のコードのコントラストが強くなる。したがって、読取処理を高精度に行うことができる。読取処理部はコンピュータで構成されてよい。また、読取処理部は読取装置１の外部に設けられてもよい。
【手続補正７】
【補正対象書類名】明細書
【補正対象項目名】００４１
【補正方法】変更
【補正の内容】
【００４１】
また、表示用の画像を取得する場合、白色光源３１により白色光が被読取ページ９に照射され、カメラ１３により可視光画像が生成される。そして、可視光画像が、図示しないモニタに出力され、表示される。可視光画像は本発明の第２の画像に相当する。
【手続補正８】
【補正対象書類名】明細書
【補正対象項目名】００４２
【補正方法】変更
【補正の内容】
【００４２】
次に、本実施の形態における赤外光源２１及び白色光源３１の配置について、更に詳細に説明する。赤外光源２１及び白色光源３１の位置と方向は、基本的には、正反射条件を避けるように設定されている。正反射条件は、既に説明したように、撮像の方向が照明光の正反射の方向に一致することをいう。正反射条件で被読取ページ９を撮像すると、反射光が強すぎて、いわゆる白とびが生じ、良好な画像が得られない。赤外光源２１についても、読取能力確保のために、正反射条件を避けることが求められる。本実施の形態では、赤外光源２１及び白色光源３１が被読取ページ９の正面領域の外側に配置されており、横方向から被読取ページ９を照明する。これにより、入射角が大きく設定され、正反射条件が避けられ、白とびも回避される。
【手続補正９】
【補正対象書類名】明細書
【補正対象項目名】００４４
【補正方法】変更
【補正の内容】
【００４４】
「被読取物の変形を考慮した光源配置の設定」
まず、被読取物であるパスポート７の変形を考慮した光源配置について説明する。ここでは、白色光源３１における端部の白色光ＬＥＤ３５ｆ及び赤外光源２１の端部の赤外光ＬＥＤ２５ｅの配置に着目する。以下の説明では、主に白色光ＬＥＤ３５ｆの配置を説明する。赤外光ＬＥＤ２５ｅの配置も、概ね同様の理由で白色光ＬＥＤ３５ｆと同様に設定されている。
【手続補正１０】
【補正対象書類名】明細書
【補正対象項目名】００４８
【補正方法】変更
【補正の内容】
【００４８】
波状の変形が生じると、被読取ページ９と白色光源３１の角度が、短縁５５に沿って周期的に増減する。角度が大きい場所では、入射角（＝出射角）が小さくなり、正反射条件が局所的に成立する。したがって、波状の変形が生じると、短縁５５に沿って正反射条件が周期的に成立する。その結果、図７の左半部に示されるように、複数の小さい白とび領域が短縁５５に沿って間隔をあけて生じてしまう。そして、波の形状によっては、図示のように、白とび領域がコード５９と重なり、コード５９の端部が白とび領域に入ってしまう。そのため、白色光源３１を用いて生成された画像では、コード５９の端部が見づらくなる。特に、コード５９の端の１〜２文字程度が見づらくなりやすい。
【手続補正１１】
【補正対象書類名】明細書
【補正対象項目名】００４９
【補正方法】変更
【補正の内容】
【００４９】
コード５９は、赤外光源２１を用いた自動読取の対象である。しかし、白色光源３１を用いた可視光画像でも、読取結果の確認などのために、コード５９の全体が表示される必要がある。そのため、上記のような白とび現象を防止する必要がある。
【手続補正１２】
【補正対象書類名】明細書
【補正対象項目名】００５６
【補正方法】変更
【補正の内容】
【００５６】
上記の照明ムラが生じると、ミラー１１からの照明光の影響で、被読取ページ９が部分的に明るくなる。ミラー１１が図１に示すように傾斜している場合、発光素子（ＬＥＤ）とミラー１１の距離が徐々に変化する。発光素子とミラー１１の距離が小さいほど、ミラー１１からの照明光が、被読取ページ９のより広い範囲に届く。
【手続補正１３】
【補正対象書類名】明細書
【補正対象項目名】００６１
【補正方法】変更
【補正の内容】
【００６１】
さらに説明すると、前述したように、ミラー１１が傾斜していると、ミラー１１と発光素子が近いほど、照明ムラの範囲が広くなる。そこで、ミラー１１と発光素子が近い位置でも、ミラー１１に発光素子が近づきすぎないように、素子位置が設定されることが好適である。
【手続補正１４】
【補正対象書類名】明細書
【補正対象項目名】００７３
【補正方法】変更
【補正の内容】
【００７３】
以上に本発明の実施の形態に係る読取装置１について説明した。本実施の形態では、第１光源が赤外光源２１であり、第１照明光が赤外光であり、第１波長域及び第１放射角は、赤外光源２１の赤外光の波長域及び放射角である。更に、第１発光素子列及び第１発光素子が、赤外光ＬＥＤ列２３及び赤外光ＬＥＤ２５ａ〜２５ｅである。また、第２光源が、可視光源の一例としての白色光源３１であり、第２照明光が白色光であり、第２波長域及び第２放射角は、白色光源３１の白色光の波長域及び放射角である。更に、第２発光素子列及び第２発光素子が、白色光ＬＥＤ列３３及び白色光ＬＥＤ３５ａ〜３５ｆである。また、本実施の形態では、読取対象物がパスポート７であり、被読取面が被読取ページ９であり、対象配置部が載置面５である。
【手続補正１５】
【補正対象書類名】明細書
【補正対象項目名】００８０
【補正方法】変更
【補正の内容】
【００８０】
１  読取装置
５  載置面
７  パスポート
９  被読取ページ
１１  ミラー
１３  カメラ
２１  赤外光源
２３  赤外光ＬＥＤ列
２５ａ〜２５ｅ  赤外光ＬＥＤ
３１  白色光源
３３  白色光ＬＥＤ列
３５ａ〜３５ｆ  白色光ＬＥＤ
５１  綴じ部
５３  長縁
５５  短縁
５９  コード 
【手続補正１６】
【補正対象書類名】図面
【補正対象項目名】図７
【補正方法】変更
【補正の内容】
【図７】
2010251930.tif 000010
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
ハウジングの上部に設けられ、被読取面を有する読取対象物が配置される対象配置部と、
前記対象配置部の下部であって前記ハウジングの内部に固定され、前記対象配置部に載置された前記被読取面を照明する赤外光源または可視光源を備える光源と、
前記対象配置部の下部であって前記ハウジングの内部に固定され、前記光源により照明された前記被読取面を撮像する撮像部と、
を備え、
前記対象配置部は、前記読取対象物を位置決めするために、前記被読取面の一辺に沿った前記読取対象物の第１縁部が突き当てられる第１突当部と、前記一辺に直角な前記読取対象物の第２縁部が突き当てられる第２突当部とを備え、
前記光源は、前記第１突当部と前記第２突当部で前記読取対象物が位置決めされた際の前記第２縁部に沿う前記ハウジング内部の位置であって、前記対象配置部に載置された前記被読取面の正面領域の外側の位置に配置されており、
前記被読取面は、前記第１縁部の近傍に位置する縁近傍コードを備え、
前記光源は、前記ハウジング内部において前記第１突当部と前記第２突当部で前記読取対象物が位置決めされた際の前記縁近傍コードの位置に対応した近傍コード位置に配置される発光素子と前記ハウジング内部において前記対象配置部に対して平行に並んで配置される複数の他の発光素子とからなる発光素子列を備え、前記発光素子列は、前記第１突当部と前記第２突当部で前記読取対象物が位置決めされた際の前記第２縁部に沿った方向に並んでおり、前記近傍コード位置の発光素子は、前記他の発光素子よりも前記対象配置部に対して垂直方向において、前記対象配置部に載置された前記被読取面の近くに配置されていることを特徴とする読取装置。
【請求項２】
前記縁近傍コードは、前記被読取面の前記第１縁部の端部に設けられており、前記近傍コード位置の前記発光素子は、前記発光素子列の端部に位置していることを特徴とする請求項１に記載の読取装置。
【請求項３】
前記読取装置は、前記対象配置部に載置された前記被読取面から前記撮像部に至る光路の向きを変えるミラーをさらに有し、
前記ミラーは、前記対象配置部に載置された前記被読取面に対して傾斜しており、前記近傍コード位置の前記発光素子は、前記対象配置部に対して垂直方向において前記発光素子列の両端のうちで前記ミラーに近い側の端部に位置することを特徴とする請求項２に記載の読取装置。
【請求項４】
前記赤外光源は、読取処理に用いる第１の画像を取得するために赤外光波長域と第１放射角とを有する赤外光を前記対象配置部に載置された前記被読取面に照射する赤外光源であり、
前記可視光源は、表示用の用途に用いる第２の画像を取得するために、前記赤外波長域より広い可視光波長域及び前記第１放射角より広い第２放射角を有する可視光を前記対象配置部に載置された前記被読取面に照射する可視光源であって、
前記光源は、これらの赤外光源と可視光源とで構成されることを特徴とする請求項１乃至３のいずれかに記載の読取装置。
【請求項５】
前記読取対象物がパスポートであることを特徴とする請求項１乃至４のいずれかに記載の読取装置。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００２１
【補正方法】変更
【補正の内容】
【００２１】
この構成により、ミラーを設けた場合の照明ムラを低減できる。この構成は、縁近傍コードの照明ムラに着目しており、以下の２つの理由で照明ムラを低減できる。ミラーが傾斜しているために、縁近傍コードがミラーに近いとする。本発明によれば、縁近傍コードに近い発光素子をミラーから遠い位置（すべての発光素子を一列に並べたと仮定すると、縁近傍コードに近い発光素子はミラーに極めて近い位置に配置されることなるが、そのような仮定の位置に比べるとミラーから遠い位置）に配置することができるので、ミラーの影響による縁近傍コードの照明ムラを低減できる。また、ミラーによる照明ムラは、発光素子から遠い位置ほど被読取面を明るくし、発光素子に近い位置を相対的に暗くする。これに対して、本発明によれば、発光素子を被読取面に近づけるので、発光素子に近い場所を明るくでき、照明ムラを低減できる。こうして、上記２つの効果が相乗し、縁近傍コードの照明ムラを低減し、読取能力向上等の効果が好適に得られる。
【手続補正５】
【補正対象書類名】明細書
【補正対象項目名】００３７
【補正方法】変更
【補正の内容】
【００３７】
また、図１〜図３に示されるように、赤外光源２１（赤外光ＬＥＤ列２３）及び白色光源３１（白色光ＬＥＤ列３３）が、被読取ページ９から垂直方向に離れて配置されている。ここで、垂直方向は、載置面５に置かれた被読取ページ９に垂直な方向であり、すなわち、載置面５に垂直な方向である。本実施の形態では、赤外光源２１および白色光源３１が被読取ページ９から垂直方向に第１距離Ｄ１で並べて配置される。ただし、被読取物のコーナーに近い白色光ＬＥＤ３５ｆと赤外光ＬＥＤ２５ｅは、載置面に近い第２距離Ｄ２に配置されている。本発明の範囲で、読み取り対象によって白色光ＬＥＤ、赤外光ＬＥＤの１つだけが、第２距離Ｄ２の位置に配置されてもよい。また、図１等の例では、第１距離Ｄ１に白色光ＬＥＤと赤外光ＬＥＤとが一列に並べられている。しかし、白色光ＬＥＤ又は赤外光ＬＥＤの片方が、第１距離Ｄ１より長い距離に配置されてよい。または、２つの光源を区別することなく、一部のＬＥＤが第１距離Ｄ１より長い距離に配置されてよい。こうして、発光素子列を多少上下にずらして配置し、光がより均一に読み取り対象を照らすようにするのも好ましい。
【手続補正６】
【補正対象書類名】明細書
【補正対象項目名】００５７
【補正方法】削除
【補正の内容】
【手続補正７】
【補正対象書類名】明細書
【補正対象項目名】００６０
【補正方法】削除
【補正の内容】
【手続補正８】
【補正対象書類名】明細書
【補正対象項目名】００６４
【補正方法】変更
【補正の内容】
【００６４】
ここでは、縁近傍コードであるコード５９の照明ムラに着目する。ミラー１１が傾斜しているために、コード５９がミラー１１に近くに位置する。既に述べたように、発光素子とミラー１１が近いほど、ミラー１１の反射は広い範囲に影響する。本実施の形態によれば、コード５９に近い白色光ＬＥＤ３５ｆをミラー１１から遠い位置（すべての白色光ＬＥＤ３５ａ〜３５ｆをすべて一列に並べたと仮定すると、縁近傍コードに近い発光素子３５ｆはミラー１１に極めて近い位置に配置されることなるが、そのような仮定の位置に比べるとミラー１１から遠い位置）に配置しているので、ミラー１１の影響によるコード５９の照明ムラを低減できる。
【手続補正９】
【補正対象書類名】明細書
【補正対象項目名】００６７
【補正方法】変更
【補正の内容】
【００６７】
次に、本実施の形態の変形例を説明する。上記のコード５９は、本発明の縁近傍コードの一例である。本発明において、縁近傍コードは、読取対象物の縁部の近傍に位置するコードである。より詳細には、縁近傍コードは、表示用の画像を得るための光源側の縁部の近傍に位置するコードであり、コードの少なくとも一部が光源側の縁部の近傍に位置する。読取対象物がパスポートである場合は、上記のように縁近傍コードが縁部の端部（コーナー部）に位置しており、一番端の第２発光素子が被読取面に近づけられる（第２発光素子は、表示用の照明光を発する発光素子である）。しかし、読取対象物の種類に応じて、縁近傍コードの位置などが異なり、それに応じて光源配置も異なってよい。
【手続補正１０】
【補正対象書類名】明細書
【補正対象項目名】００６８
【補正方法】変更
【補正の内容】
【００６８】
例えば、縁近傍コードが光源側の縁部の中央に位置してよい。この場合、縁近傍コードに応じて、光源側の縁部の中央に対応する第２発光素子が、読取対象物に近づけられる。